(57)【要約】      （修正有）【課題】消費電力の目標値を達成するためにデマンド制御を実行する際、対象領域の温度にかかる快適性を損なわないように、ユーザ端末と連携して負荷設備の運転状態を制御する。【解決手段】被空調空間の環境を制御する負荷設備の消費電力量と前記負荷設備の運転状態を制御するパラメータとの関係を表す関係情報を記憶するステップと、前記関係情報に基づいて消費電力量制限のパラメータを導出・算出するステップと、前記被空調空間の環境の状態に応じて前記パラメータを抽出するステップと、前記抽出されたパラメータを被空調空間のユーザ端末へダウンロードするステップと、前記パラメータに従ってユーザ端末にて温度設定条件を変更するステップと、前記温度設定された値を前記負荷設備へ反映するステップと、を有することを特徴とする省エネルギー運転制御方法。【選択図】図４
2015010803.tif 000002
【特許請求の範囲】
【請求項１】
被空調空間の環境を制御する負荷設備の消費電力量と前記負荷設備の運転状態を制御するパラメータとの関係を表す関係情報を記憶するステップと、
前記関係情報に基づいて消費電力量制限のパラメータを導出・算出するステップと、
前記被空調空間の環境の状態に応じて前記パラメータを抽出するステップと、
前記抽出されたパラメータを被空調空間のユーザ端末へダウンロードするステップと、
前記パラメータに従ってユーザ端末にて温度設定条件を変更するステップと、
前記温度設定された値を前記負荷設備へ反映するステップと、
を有することを特徴とする省エネルギー運転制御方法。
【請求項２】
請求項１に記載された省エネルギー運転制御方法において、前記抽出されたパラメータは、前記負荷設備の消費電力量の定められた上限値から求められた、ユーザ端末での温度設定リミット値であることを特徴とする省エネルギー運転制御方法。
【請求項３】
請求項１または請求項２に記載された省エネルギー運転制御方法において、前記抽出されたパラメータは、前記負荷設備が特定の省エネルギー運転モードにされる場合に、ユーザ端末での温度設定操作を禁止するパラメータであることを特徴とする省エネルギー運転制御方法。
【請求項４】
被空調空間の環境を制御する負荷設備の消費電力量と前記負荷設備の運転状態を制御するパラメータとの関係を表す関係情報を記憶する記憶部と、
前記関係情報に基づいて消費電力量制限のパラメータを算出する導出・算出部と、
前記空間の環境の状態に応じて前記パラメータを抽出する抽出部と、
前記抽出されたパラメータを被空調空間のユーザ端末へダウンロードする表示部と、
前記パラメータに従った温度設定値を前記負荷設備へ反映する設定値反映部と、を備えた消費電力量削減支援装置と、および、
前記パラメータに従って温度設定条件が変更されるユーザ端末装置と、
を備えることを特徴とする省エネルギー運転制御システム。
【請求項５】
請求項４に記載された省エネルギー運転制御システムにおいて、前記抽出されたパラメータは、前記負荷設備の消費電力量の定められた上限値から求められた、ユーザ端末での温度設定リミット値であることを特徴とする省エネルギー運転制御システム。
【請求項６】
請求項４または請求項５に記載された省エネルギー運転制御システムにおいて、前記抽出されたパラメータは、前記負荷設備が特定の省エネルギー運転モードにされる場合に、ユーザ端末での温度設定操作を禁止するパラメータであることを特徴とする省エネルギー運転制御システム。
【発明の詳細な説明】
【技術分野】
【０００１】
本願発明は、建物における空調の消費電力量削減支援に関し、消費電力量の上限値を超えない範囲で負荷設備の消費電力量の削減を実現させる省エネルギー運転制御方法および省エネルギー運転制御システムに関する。
【背景技術】
【０００２】
近年、地球環境への配慮のため、温室効果ガスの一種である二酸化炭素（ＣＯ2）の排出量を削減する取り組みが展開されており、特に、オフィスビル、商業ビルや工場などの施設においては、施設の負荷設備について省エネルギー運転を実施し、負荷設備が一定期間に消費する電力量（以下、「消費電力量」という。）を抑制することによるＣＯ2の排出量削減への取り組みが実践されている。従来から、負荷設備の省エネルギー運転を実現するために、電力デマンド制御が実行されている。電力デマンド制御とは、電力の需要者が時々刻々と変化する消費電力量を監視し、需要者の需要電力（以下、「デマンド」という。）すなわち負荷設備の消費電力量が、電力会社との間で契約した契約電力値を超えないように、負荷設備の運転状態を制御する目標値を変更することによって負荷設備の運転状態を制御することをいう。
【０００３】
例えば、デマンド量を監視して、予め定めた消費電力量の上限値を超えないように負荷設備の運転状態にデマンド監視装置を用いて制御する技術が知られている。このような電力デマンド制御は、特許文献１に開示されている発明では、負荷設備の中でも相対的に消費電力が大きい空調設備や照明設備の運転状態を制御する室温や照度の設定を変更することにより実施される。
【０００４】
また、特許文献２に開示されている発明では、「温度を上げて（下げて）ほしい」といったユーザからの環境状態の変更に関する要望を受け付け、決められた総電力量のうち、要望率の高い対象空間には相対的に多い電力量を按分し、要望率の低い対象空間には相対的に少ない電力量を按分する。
【０００５】
さらに、特許文献３に開示されている発明では、消費電力削減支援装置が記述されて機能的に明らかにされており、ここでは負荷設備の運転状況の制御を主眼にして、対象領域の快適性を目指している。
【先行技術文献】
【特許文献】
【０００６】
【特許文献１】特開２００９−１９８５３号公報
【特許文献２】特開２００９−２０４１８８号公報
【特許文献３】特開２０１２−１６３３０４号公報
【発明の概要】
【発明が解決しようとする課題】
【０００７】
しかしながら、各先行技術文献に開示される技術は、各空間から取得された環境状態の変更に関する要望の度合い（要望率）に応じて、予め定められた総電力をデマンド制御の対象となる負荷設備に按分などして各空間の環境状態を制御する技術であることから、ユーザにとって維持したい環境までも変更してしまうといった場合がある。要望率に応じた電力のデマンド制御を実行した後の空間の環境状態と実際にユーザが要望する空間の環境状態との間に乖離が発生する恐れがある。
【０００８】
このように先行技術文献による発明では、ユーザの満足を提供する技術はまだ十分には考慮されていなかった。  そこで、本願発明は上述の問題を解決するために、消費電力の上限値を超えないようにするための電力デマンド制御を実行する際、ユーザの最大の関心事である温度設定操作について、対象空間のユーザが抱く不満感を緩和させることを目的とする。
【課題を解決するための手段】
【０００９】
本願発明は、被空調空間の環境を制御する負荷設備の消費電力量と前記負荷設備の運転状態を制御するパラメータとの関係を表す関係情報を記憶するステップと、
前記関係情報に基づいて消費電力量制限のパラメータを導出・算出するステップと、
前記被空調空間の環境の状態に応じて前記パラメータを抽出するステップと、
前記抽出されたパラメータを被空調空間のユーザ端末へダウンロードするステップと、
前記パラメータに従ってユーザ端末にて温度設定条件を変更するステップと、
前記温度設定された値を前記負荷設備へ反映するステップと、
を有することを特徴とする省エネルギー運転制御方法である。
【００１０】
さらに、前記負荷設備の消費電力量が予め定められた上限値を超えない範囲において、前記抽出されたパラメータはユーザ端末での緩和された温度設定リミット値であることを特徴とする省エネルギー運転制御方法である、または、
前記負荷設備が特定の省エネルギー運転モードにされる場合に、前記パラメータはユーザ端末での温度設定操作を禁止するパラメータであることを特徴とする省エネルギー運転制御方法である。
【００１１】
また本願発明は、被空調空間の環境を制御する負荷設備の消費電力量と前記負荷設備の運転状態を制御するパラメータとの関係を表す関係情報を記憶する記憶部と、
前記関係情報に基づいて消費電力量制限のパラメータを算出する導出・算出部と、
前記空間の環境の状態に応じて前記パラメータを抽出する抽出部と、
前記抽出されたパラメータを被空調空間のユーザ端末へダウンロードする表示部と、
前記パラメータに従った温度設定値を前記負荷設備へ反映する設定値反映部と、を備えた消費電力量削減支援装置と、および、
前記パラメータに従って温度設定条件が変更されるユーザ端末装置と、
を備えることを特徴とする省エネルギー運転制御システムである。
【００１２】
さらに、前記負荷設備の消費電力量が予め定められた上限値を超えない範囲において、前記抽出されたパラメータはユーザ端末での緩和された温度設定リミット値であることを特徴とする省エネルギー運転制御システムである、または、
前記負荷設備が特定の省エネルギー運転モードにされる場合に、前記パラメータはユーザ端末での温度設定操作を禁止するパラメータであることを特徴とする省エネルギー運転制御システムである。
【発明の効果】
【００１３】
本願発明によれば、負荷設備の消費電力量の運転状況を表す実績データから、負荷設備の消費電力量と運転パラメータとの関係を表す関係情報を導出して負荷設備の消費電力量の上限値を超えないように温度設定にかかるパラメータを算出し、対象となる空間の環境の状態に応じた運転パラメータを提供する。
【００１４】
その結果、ユーザの感覚において最も重大な温度設定について、ユーザはサーバから（ダウンロードで）提示されたパラメータの範囲で、負荷設備に反映させる所望の温度設定をすることができる。対象空間のユーザがある程度自由に温度設定ができることから、満足感を高めることができる。
【図面の簡単な説明】
【００１５】
【図１】本願発明の実施の形態にかかる消費電力量削減支援装置の基本構成を示す機能ブロック図である。
【図２】本願発明の実施の形態にかかる消費電力量削減支援装置の基本動作を示すフローチャートである。
【図３】本願発明の実施の形態にかかる省エネルギー運転制御システムの構成を示す図である。
【図４】本願発明の実施の形態にかかる省エネルギー運転制御システムの動作を示すシーケンス図である。
【図５】本願発明の実施例にかかる端末装置の外観概要を示す図である。
【図６】本発明の実施例にかかる温度設定値推移を示す図である。
【発明を実施するための形態】
【００１６】
以下、図面を用いて、本願発明の実施の形態を説明する。
［１．消費電力量削減装置について］
本願発明の実施の形態にかかる消費電力量削減支援装置は、居住空間の環境を制御する負荷設備に対して運転制御を実行することにより、負荷設備の消費電力量の抑制を図るものである。
【００１７】
図１は、本実施の形態にかかる消費電力量削減支援装置１００の基本的な構成を示す機能ブロック図である。
消費電力量削減支援装置１００は、図１に示すように、記憶部１１０、導出部１２０、算出部１３０、抽出部１４０、表示部１５０、パラメータ反映部１６０とを有しており、空調設備１０−１および照明設備１０−２に対して運転パラメータを反映させる。なお、空調設備１０−１および照明設備１０−２をまとめて「負荷設備１０」として、以下、説明をする。
【００１８】
記憶部１１０は、居住空間における環境の状態を制御するために稼働している負荷設備１０の運転状態に関係する運転パラメータと、負荷設備１０の消費電力量とをインターフェース部（図外）を介して負荷設備１０から取得し、これら取得した運転パラメータと負荷設備１０の消費電力量とを実績データとして記憶部１１０に記憶する。
なお、当初あらかじめ定めた静的なデータで、運転パラメータと消費電力量の対応表で記憶するだけでよい場合も有る。
【００１９】
本実施の形態においては、例えば、記憶部１１０は、空調設備１０−１によって空調管理される空間の設定室温のパラメータが２４℃で設定されている場合、空調設備１０−１の消費電力量の実績値を定期的に取得する。このように、記憶部１１０は、設定室温のパラメータに対応した空調設備１０−１の消費電力量の実績値を定期的に取得して、設定室温のパラメータと消費電力量の実績値とを関連付けた実績データを記憶する。なお、記憶部１１０は、負荷設備１０の運転パラメータと消費電力量の実績値とを取得する際に、負荷設備１０が保有する居住空間の室内温度、外部温度などの現在値といった居住空間の環境状態を表す情報（以下、「環境情報」という。）を同時に取得することもできる。
【００２０】
次に、導出部１２０は、記憶部１１０によって記憶された実績データに基づいて、負荷設備１０の消費電力量と運転パラメータとの関係を表す関係情報を導出する。また、導出部１２０は、予め記憶されている負荷設備１０の消費電力量の上限値と実績データとから、負荷設備１０の消費電力量の上限値を超えないような負荷設備１０の運転条件を表す運転条件情報についても導出する。
【００２１】
上記の関係情報は、負荷設備１０の運転パラメータと、このパラメータで運転する時の負荷設備１０の消費電力量との関係を表す情報である。本実施の形態においては、記憶部１１０によって取得された負荷設備１０の運転パラメータと負荷設備１０の消費電力量との蓄積された実績データに基づいて構築された運転パラメータと消費電力量との関係を表す情報を、導出部１２０は関係情報として導出する。
このような関係情報は、運転パラメータと消費電力量との関係を演算式または対応表によって表すことができる。
【００２２】
具体例として、空調設備１０−１に対する運転パラメータと消費電力量との関係を表す関係情報について説明する。
居住空間の設定温度を１℃緩和すると、空調設備の消費電力は、設定温度の緩和による負荷削減分の電力削減効果を得ることができる。この電力削減効果、すなわち、空調設備１０−１の運転パラメータ（設定温度）と消費電力量との関係は、外気エンタルピーによって変動することが知られている。外気エンタルピーは、温度と湿度とによって決定され、一般的には、気象予報のデータや実測された物理量から予測される値である。
【００２３】
ここで、本実施の形態において、蓄積された実績データに基づく空調設備１０−１の関係情報が、以下の（式１）で表されるものとする。
Ｔ(ｐ)＝ａ×ｐ＋ｂ ・・・（式１）  ただし、Ｔは設定温度、ｐは電力量、ａ，ｂは係数（自然数）とする。
【００２４】
上記（式１）の係数ａ，ｂは、外気エンタルピーに応じて変動する。本実施の形態においては、外気エンタルピーと（式１）の係数ａ，ｂとの対応表を記憶部１１０に予め記憶している。導出部１２０は、予測される外気エンタルピーに対応する係数ａ，ｂを予め記憶している上記の対応表から求め、実績データに基づく空調設備１０−１の関係情報である（式１）を導出する。
【００２５】
また、運転条件情報は、負荷設備に対して目標値となる消費電力量を達成するための電力デマンド制御を実施する際に、目標値の達成に必要な負荷設備の運転状態の条件を表す情報である。
本実施の形態において、運転条件情報は、負荷設備１０の消費電力量が上限値を超える恐れがある場合、居住空間の環境情報と実績データに含まれる負荷設備１０の現在の消費電力量とから、消費電力量の上限値を超えないようにするために必要な消費電力量の削減量（以下、「削減目標値」という。）を含んだ情報とする。さらに、運転条件情報には、削減目標値に加えて、削減目標値を達成させるために負荷設備１０のそれぞれの設備が削減すべき消費電力量を振り分けた情報や、削減目標値を達成させる運転パラメータを反映させた状態で負荷設備１０を運転させる時刻を表す時間情報を含んでも良い。
【００２６】
例えば、本実施の形態において、該当する空間に設置されている負荷設備１０の消費電力量のうち空調設備に関して上限値が８４ｋＷｈに設定されているものとする。また、記憶部１１０によって取得された空調設備１０−１に関する実績データから、空調設備１０−１の室温のパラメータが２０℃時の空調設備１０−１の消費電力量が７０ｋＷｈであるとする。
【００２７】
そこで、その空間において空調設備１０−１の室温のパラメータが２０℃の場合、導出部１２０は、その空間における負荷設備１０は、７０−８４＝−１４から、１４ｋＷｈ余裕があると求める。導出部１２０は、求めた削減目標値と削減目標値の振り分けといった負荷設備１０の運転状態の条件を表す情報を運転条件情報として導出する。
【００２８】
次に、算出部１３０は、導出部１２０によって導出された関係情報に基づいて、負荷設備１０の消費電力量の上限値を超えない負荷設備１０の運転パラメータを算出する。
【００２９】
具体的には、算出部１３０は、負荷設備１０の消費電力量の上限値を超えない空調設備１０−１の設定室温のパラメータを関係情報に基づいて算出する。本例では、―１４ｋＷｈで余裕があるので、現状の（７０ｋＷｈの）２０％Ｕｐまで認めることができる。温度にのみ着目すれば、室温２０℃の２０％Ｕｐであるので、例えば暖房時であれば、２４℃まで設定可能となる。
この算出結果から、負荷設備１０の消費電力量の上限値を超えない空調設備１０−１の運転パラメータであるところの設定室温の上限値（２４℃）を算出する。
以上のように、消費電力量の上限値を超えないための運転パラメータ群を総称して、「消費電力量制限のパラメータ」という。
【００３０】
次に、抽出部１４０は、算出部１３０によって算出された運転パラメータの組の中から、居住空間の環境の状態に応じて算出された運転パラメータを抽出する。
負荷設備には温度以外にも、照明設備その他の設備があるので、これらの環境情報や運転条件情報に加え、負荷設備１０の省エネルギー運転の対象となる居住空間の使用状態と時刻との関係を表す情報についても加味して運転パラメータを抽出しても良い。
尚、ここでは単に抽出という言葉を用いるが、実際には必要に応じてパラメータ・データの変換加工の工程も含む意味である。
【００３１】
具体的には、省エネルギー運転の実行予定時刻が１２時〜１３時、現在（例えば、１１時。）の居住空間の使用状態が執務フロアで稼働中（例えば、任意の社員が作業を行っている。）、この居住空間は１１時４５分〜１３時１５分まで稼働停止（例えば、昼休みなど。）状態であった場合、抽出部１４０は、上記の情報に応じて１２時〜１３時の間の空調設備１０−１および照明設備１０−２の運転パラメータの組み合わせ、例えば、室温を現状維持，照度を低くすることにより負荷設備の消費電力量の上限値を超えない運転パラメータの組み合わせを、算出部１３０の算出結果と運転条件情報とから抽出することができる。
【００３２】
次に、表示部１５０は、抽出部１４０によって抽出された、負荷設備１０の消費電力量の上限値を超えないような運転パラメータをユーザ端末に提示するものである。
本実施の形態において表示部１５０は、抽出部１４０によって抽出された空調設備１０−１の運転パラメータから、該当する居住空間のユーザが所望の温度設定にかかるパラメータを確認できるように端末にダウンロードする。ここで、表示部１５０が表示する例は、図５に示すので後述する。
【００３３】
なお、本実施の形態にかかる消費電力量削減支援装置１００は、ＣＰＵ（中央演算装置）やメモリやハードディスクなどの記憶装置、インターフェース部からなるコンピュータ（ハードウェア）にコンピュータプログラム（ソフトウェア）をインストールすることによって実現され、上述した消費電力量削減支援装置１００の各機能は、上記コンピュータの各種ハードウェア資源と上記コンピュータプログラムとが協働することによって実現される。また、上記したコンピュータプログラムは、コンピュータが読み取り可能な記録媒体や記憶装置に格納された状態で提供されても良く、電気通信回線を介して実現されても良い。消費電力量削減支援装置は普通のコンピュータ単体でなく、Ｗｅｂサーバ、クラウドコンピューティングで実現されてもよい。
【００３４】
次に、本実施の形態にかかる消費電力量削減支援装置１００の基本的な動作について、図２に示すフローチャートを参照して説明する。
消費電力量削減支援装置１００の記憶部１１０は、定期的に空調設備１０−１などの運転状態に関係する運転パラメータと、それぞれ設備の消費電力量の実績値を取得して、運転パラメータと消費電力量とを関連付けた実績データを記憶する。このとき、運転パラメータと消費電力量の実績値とともに取得した居住空間の室内温度その他の環境情報も記憶する（ステップＳ１０１）。
【００３５】
記憶部１１０によって実績データおよび環境情報が記憶されると、消費電力量削減支援装置１００は、電力デマンド制御による電力削減要求が有るか否かを判定する（ステップＳ１０２）。
【００３６】
消費電力量の予測値と負荷設備１０の消費電力量の上限値との比較結果から、負荷設備１０の消費電力量の実績値が上限値を超える恐れが有る場合には、消費電力量削減支援装置１００は、電力削減要求が有りと判定する。
一方、設備全体ですでに電力削減要求があった場合に、現状の消費電力量の実績値が上限値を超える恐れがなくなった場合にも、以下のＹｅｓ処理に移行する。余裕分の提示によって、より好ましい温度設定を支援するためである。
【００３７】
すなわち、ステップＳ１０２で「ＹＥＳ」に分岐の場合、導出部１２０は、記憶部１１０によって記憶された実績データと環境情報とに基づいて、負荷設備１０の消費電力量の上限値を超えないような運転条件を表す運転条件情報と、負荷設備１０の消費電力量と運転パラメータとの関係を表す関係情報とを導出する（ステップＳ１０３）。
【００３８】
導出部１２０によって関係情報と運転条件情報とが導出されると、算出部１３０は、関係情報に基づいて、負荷設備１０の消費電力量の上限値を超えない負荷設備１０に反映させる運転パラメータを算出する（ステップＳ１０４）。
運転パラメータが算出されると、抽出部１４０は、算出された運転パラメータから、記憶部１１０によって取得された環境情報および居住空間の環境状態と運転条件情報とに応じて修正した運転パラメータを抽出する（ステップＳ１０５）。
抽出部１４０によって適当な運転パラメータが抽出できない場合は、ユーザに対して、変更することができない旨を提示することになる。例えば、運転条件情報の設定を不可能にするとしても良い。
【００３９】
抽出部１４０によって運転パラメータが抽出されると、表示部１５０は、抽出された運転パラメータをユーザ端末にダウンロードする（ステップＳ１０６）。
表示部１５０によって表示された運転パラメータがユーザ端末で確認されて温度設定にかかる操作がされると、パラメータ反映部１６０は、対応する運転パラメータを負荷設備１０に対して反映する（ステップＳ１０７）。
【００４０】
［２．省エネルギー運転制御システムについて］
本願発明の実施の形態にかかる消費電力量削減支援装置を含んだ負荷設備に対する電力デマンド制御を実施するシステムは、ネットワークを介して接続される複数のユーザ端末装置によって確認された負荷設備の運転パラメータに基づいて負荷設備の運転制御を実行することにより、負荷設備の消費電力量の抑制を図るものである。
【００４１】
図３は、本実施の形態にかかる消費電力量削減支援装置２００を含んだ省エネルギー運転制御システム２０の構成を説明する図である。
図３に示すように、本実施の形態における省エネルギー運転制御システム２０は、サーバ機能を有する消費電力量削減支援装置２００と、空調設備の運転状態を制御する空調コントローラ１０ａ−１および照明設備の運転状態を制御する照明コントローラ１０ａ−２の２つを少なくとも備える負荷設備１０ａと、クライアント機能を有する複数の端末装置３０−１〜３０−ｎとから構成されている。なお、第１の実施の形態において説明した消費電力量削減支援装置１００の構成要素と同一の構成および機能を有するものには、同一の符号を付し、その詳細な説明は省略する。
【００４２】
消費電力量削減支援装置２００は、サーバ機能を有し、ユーザ（クライアント）端末である端末装置３０−１〜３０−ｎとの間でデータの送受信を行う。
端末装置３０−１〜３０−ｎは、消費電力量削減支援装置２００からダウンロード送信されるデータを受信して、受信したデータに応じたデータ処理を実行する。
例えば、消費電力量削減支援装置２００から送信された省エネルギー運転確認画面の画面情報を受信する場合、端末装置３０−１〜３０−ｎは、受信した画面情報に応じた省エネルギー運転確認画面で運転パラメータを確認可能な状態で表示する。そして、ユーザによって設定された温度設定値などを表す情報を消費電力量削減支援装置２００へ送信する。
【００４３】
消費電力量削減支援装置２００の表示部２５０は、抽出部１４０によって抽出された運転パラメータを確認可能に表示する省エネルギー運転確認画面の画面情報を生成し、端末装置３０−１〜３０−ｎに対して後述する送受信部２７０を介して送信する。
【００４４】
設定値反映部２６０は、後述する送受信部２７０を介して受信する確認結果情報から複数の端末装置３０−１〜３０−ｎによって確認された負荷設備１０ａに対する運転パラメータを集計して負荷設備１０ａに反映させる運転パラメータを決定し、送受信部２７０を介して負荷設備１０ａへ決定した運転パラメータを送信する。
設定値反映部２６０は、送受信部２７０を介して端末装置３０−ｎから送信された確認結果情報を受信して、この確認結果情報に対応する運転パラメータを識別する。
【００４５】
送受信部２７０は、ネットワーク４０を介して負荷設備１０ａおよび端末装置３０−ｎとの間でデータの送受信を行う。ネットワーク４０は有線無線を問わず、インターネットなどである。
【００４６】
次に、本実施の形態における省エネルギー運転制御システム２０の動作について、図４に示すシーケンス図を参照して説明する。
省エネルギー運転制御システム２０の消費電力量削減支援装置２００は、居住空間の環境の状態を制御するために稼働している空調設備と照明設備との運転状態を制御する運転パラメータと、それぞれ設備の消費電力量の実績値と、居住空間の室内温度，湿度，照度などの現在値とを取得し、実績データおよび環境情報を記憶する（ステップＳ２０１）。
【００４７】
実績データおよび環境情報が記憶されると、消費電力量削減支援装置２００は、記憶した実績データおよび環境情報に基づいて消費電力量の上限値を超えないような空調設備に対する運転条件を表す運転条件情報と、消費電力量と運転パラメータとの関係を表す関係情報と、を導出して運転条件情報に含まれる消費電力量の削減目標値を達成させる運転パラメータを算出する。運転パラメータの算出結果から取得した環境情報に応じたパラメータを抽出し、抽出したパラメータを確認可能に表示する省エネルギー運転画面情報を生成する（ステップＳ２０２）。本パラメータは、複数の居住空間について、夫々温度設定にかかるリミット値（上下限値など）または温度設定可否のフラグパラメータなどの組（セット）形式である。
【００４８】
省エネルギー運転確認画面の画面情報が生成されると、消費電力削減支援装置２００は、端末装置３０−１〜３０−ｎに対して生成した省エネルギー運転にかかる設定値リミット値その他の情報をダウンロードする（ステップＳ２０３）。
端末装置３０−１〜３０−ｎは、消費電力削減支援装置２００からダウンロードされた情報を受信すると、受信した画面情報に基づいて省エネルギー運転確認画面を表示し、また、ユーザによって操作設定した運転パラメータを表す情報を生成する（ステップＳ２０４）。ダウンロードされたパラメータに対応してユーザの操作情報が生成されると、端末装置３０−１〜３０−ｎは、生成した設定操作情報を消費電力量削減支援装置２００へ送信する（ステップＳ２０５）。
【００４９】
消費電力量削減支援装置２００は、端末装置３０−１〜３０−ｎから送信された操作情報を受信すると、情報を集計して負荷設備１０ａに反映させる運転パラメータを決定する（ステップＳ２０６）。
負荷設備１０ａに反映させる運転が決定されると、消費電力量削減支援装置２００は、負荷設備１０ａに対して決定した運転パラメータを示す情報を送信する（ステップＳ２０７）。
【００５０】
負荷設備１０ａは、消費電力量削減支援装置２００から送信される運転パラメータを示す情報を受信すると、受信した運転パラメータを該当する設備に反映させて省エネルギー運転へ切り替える（ステップＳ２０８）。冷水、温水の熱源量や、送風量などの制御指数が変更される。
負荷設備１０ａによって各設備が省エネルギー運転に切り替わると、負荷設備１０ａは、消費電力量削減支援装置２００に対して省エネルギー運転を開始したことを示す省エネルギー運転開始情報を送信し、この省エネルギー運転開始情報を受信した消費電力量削減支援装置２００は、端末装置３０−１〜３０−ｎに対して省エネルギー運転開始情報を送信する（ステップＳ２０９）。
【００５１】
［３．ユーザ端末について］
上記の省エネルギー運転制御システム２０における端末装置３０の外観を図５で示す。図５Ａは端末装置である温度設定器の正面パネルを示す。５１はＬＣＤなどの制御情報表示部であり、表示部にはタッチパネルが付いている。５２，５３は温度パラメータの変更（増加、減少）ボタン（タッチ機能部）である。図５Ａでは、通常時の温度設定器を示すものであるが、図５Ｂは本願発明の特徴にかかるもので、さらに制御情報表示部５１に各種情報の提示及び操作にかかるメッセージ表示部６０を備え、操作ボタンに確定ボタン５４とキャンセルボタン５５を備える。
【００５２】
ここで、前述の消費電力削減支援装置２００からダウンロードされた情報を受信すると、受信した情報に基づいて省エネルギー運転確認画面情報を情報表示領域６０に表示する。ユーザによってそれが確定されるか、キャンセルされる。すなわち、確定ボタン５４が押された場合には、運転パラメータの温度設定リミット値の変更が受け入れられたことを意味する。一方、キャンセルボタン５５が押された場合には、その温度パラメータのリミットにかかる変更は却下される。このパラメータにかかるユーザの操作情報が生成されると、端末装置３０−１〜３０−ｎは、生成した操作情報を消費電力量削減支援装置２００へ送信するのは前述のとおりである。
【００５３】
かくして例えば、温度設定リミット値が変更されるので、上下に変更された範囲での温度設定がユーザはできることになる。なお、確定とキャンセルボタンは必須ではなく、端末装置（温度設定器）の種類によっては、自動的に受け入れることにしてもよい。
【００５４】
このようにして、例として暖房時に上上限値が新たに変更できて、消費電力削減支援装置２００は常時定期的に実行されるので、一時的には温度パラメータの変更は許容されても、環境条件の変化によって、再び温度パラメータは元に戻されることがある。こうすることによって、管理者等による上限値パラメータの逐一に変更作業を伴わなくとも、本システムで自動的に環境変化に対応できる。
尚、暖房時の例をとり温度パラメータの上限と上上限で説明をしているが、冷房時には、当該パラメータには下限と下下限に読み替えて解釈できるものである。
【００５５】
次に、電力余裕の方向とは逆に、電力逼迫の場合を説明する。消費電力削減支援装置２００からの指令で、当初の温度パラメータ（上限）では到底省エネルギーが達成できない見込みの場合には、消費電力削減支援装置２００は温度パラメータの上限値を当初よりも下げなければならないが下げて設定することは、居住者であるユーザにとって好ましくない。むしろ、温度設定を操作させないことのほうが望ましい。そして、１／ｆ揺らぎなどある一定の周期で設定温度値を中心にして変動させて運転（Ｅｃｏモード）を実行する。また、建物として、早朝一番には規定の空調運転をすることが省エネルギー上望ましい場合もあるので、その際には各ユーザ端末に温度設定を一切認めないで、一定期間は自動運転することがある。
【００５６】
このとき、システムで規定した省エネルギー運転をしているため、ユーザには温度設定を許可させるべきではなく、かつ実際の室温を表示もすることも必要ではない。むしろ、省エネルギー運転中であることを知らしめて、節電を意識付けようとするものである。  そのため、ここでは、図５Ｃで示すように、温度設定にかかるボタン表示を消去し（当然タッチ操作もできない）、さらに設定温度の表示も見せないようにする（図中
ハイフン表示）。代わりに「Ｅｃｏ」アイコンを表示するとよい。こうすることで、Ｅｃｏモードを実感できる。
【００５７】
［４．実施例］
本発明の省エネルギー運転制御システムにおいて、暖房運転時に温度設定値のリミット値が変更された場合における、ユーザ端末での温度設定の動作例を、図６をもって説明する。
【００５８】
図６において、横軸は時間、縦軸は当該空調空間の温度設定値であって、当初の上限値２０℃、上上限値２４℃として進める。
時間軸における時点aまでは、時間領域＃１として、温度設定の上限は２０℃である。
この時間領域＃１内では、２０℃以下の設定値変更は可能である。図中２０℃を超えて設定しようとしても、エラーＸとして却下される。これはユーザ端末内で却下処分されることでよいし、消費電力量削減支援装置２００へ送受信して検査することでもよい。
【００５９】
続いて、時点aにおいて、消費電力量に余裕があり、例えば２０％の温度設定の上昇を許すことになるとする。そこで、新たなリミット値（上上限値）が与えられて、２４℃へ上昇される。この時間領域＃２では、その旨の表示がユーザ端末になされ、ユーザは確認した後に、温度設定値を２４℃までの範囲で上昇できる。
【００６０】
次に、時点ｂにおいて、消費電力量が増加して余裕エネルギーが逼迫したため、当該リミット値は当初の上限値２０℃まで低下させられることになる。この時間領域＃３では、強制的に２０℃へ下げられる。ユーザはその旨の表示を確認することになり、温度の設定は２０℃が上限となる。
【００６１】
ここで、所定のＥｃｏモード運転の時間ｃが到来したとする。これ以降の時間領域＃４では、ユーザは端末での温度設定行為は一切できなくなる。Ｅｃｏ表示をみて、自動運転に従うことになる。
【産業上の利用可能性】
【００６２】
オフィスビル、商業ビルや工場といった施設における消費電力量を効率よく管理する電力管理システムに利用可能である。特に、電力管理システムにおいて、消費電力量の目標値を達成するための電力デマンド制御を実行する省エネルギー運転制御システムに利用可能である。
【符号の説明】
【００６３】
１００，２００…消費電力量削減支援装置、１１０…記憶部、１２０…導出部、１３０…算出部、１４０…抽出部、１５０，２５０…表示部、１６０，２６０…パラメータ反映部、２７０…送受信部、
１０，１０ａ…負荷設備、１０−１…空調設備、１０−２…照明設備、１０ａ−１…空調コントローラ、１０ａ−２…照明コントローラ、
２０…省エネルギー運転制御システム、
３０−１〜３０−ｎ…端末装置、
４０…ネットワーク、
【図１】
2015010803.tif 000003
【図２】
2015010803.tif 000004
【図３】
2015010803.tif 000005
【図４】
2015010803.tif 000006
【図５】
2015010803.tif 000007
【図６】
2015010803.tif 000008